(57)【要約】【課題】弱電界信号が入力された場合にも字幕のちらつきや文字化けが観察されないようなクローズドキャプション表示装置を提供すること。【解決手段】スライサ部２は、入力された映像信号に含まれるクローズドキャプション信号を所定のスライスレベルでスライスする。デコード部４は、スライサ部２から出力されたクローズドキャプションデータをデコードして字幕データを得る。映像処理部５は、デコード部４によって作成された字幕データを映像信号に重畳する。弱電界検出部３は、入力された映像信号の信号レベルに基づいて映像信号受信時の電界強度が所定強度よりも弱いかどうかを判定する。制御部６は、この判定結果に基づいて、弱電界時にデコード部４および映像処理部５の処理動作を禁止する。【選択図】        図１
2004328664.tif 000002
【特許請求の範囲】
【請求項１】
テレビジョン信号に重畳されたクローズドキャプション信号をスライスしてディジタルデータに変換するスライサ部と、
前記ディジタルデータをデコードして字幕データを生成するデコード部と、
前記テレビジョン信号に前記字幕データを重畳して出力する映像処理部と、
電界強度が所定強度よりも弱いかどうかを判定する弱電界検出部と、
前記弱電界検出部の判定結果に基づいて、弱電界時に前記デコード部のデコード処理および／または前記映像処理部の重畳処理を無効にする制御部とを備えるクローズドキャプション表示装置。
【請求項２】
前記弱電界検出部は、入力されたテレビジョン信号の信号レベルを所定の閾値と比較することにより、電界強度が所定強度よりも弱いかどうかを判定することを特徴とする、請求項１に記載のクローズドキャプション表示装置。
【請求項３】
前記スライサ部は、前記クローズドキャプション信号の信号レベルに応じたスライスレベルで該クローズドキャプション信号をスライスし、
前記弱電界検出部は、前記スライサ部における現在のスライスレベルを所定の閾値と比較することにより、電界強度が所定強度よりも弱いかどうかを判定することを特徴とする、請求項１に記載のクローズドキャプション表示装置。
【請求項４】
前記制御部によって前記デコード部のデコード処理および／または前記映像処理部の重畳処理が無効にされたときにクローズドキャプションの表示機能が無効になっている旨を表示するための文字データを格納した通知データ記憶部をさらに備えることを特徴とする、請求項１に記載のクローズドキャプション表示装置。
【請求項５】
テレビジョン信号に基づいて映像を表示する際に、電界強度が所定強度よりも弱いかどうかを判定し、所定強度よりも弱いと判定された場合にクローズドキャプションの表示に係る処理を無効にすることを特徴とするクローズドキャプション表示方法。
【請求項６】
テレビジョン信号に重畳されたクローズドキャプション信号をスライスしてディジタルデータに変換するスライサ部と、前記ディジタルデータをデコードして字幕データを生成するデコード部と、前記テレビジョン信号に前記字幕データを重畳して出力する映像処理部とを備えたクローズドキャプション表示装置において、コンピュータに、
電界強度が所定強度よりも弱いかどうかを判定する手順と、
前記判定結果に基づいて、弱電界時に前記デコード部のデコード処理および／または前記映像処理部の重畳処理を無効にする手順とを実行させるためのクローズドキャプション表示プログラム。
【発明の詳細な説明】
【０００１】
【発明の属する技術分野】
本発明はクローズドキャプション表示装置に関し、より特定的には、クローズドキャプション信号が重畳されたテレビジョン信号に基づいて字幕つきの映像を表示するための装置に関する。
【０００２】
【従来の技術】
従来、テレビジョン信号にクローズドキャプション信号を重畳して放送し、受信側でこのクローズドキャプション信号をデコードすることによって映像を字幕つきで表示する技術がある。
【０００３】
図８に、クローズドキャプション信号が重畳されたテレビジョン信号（コンポジット信号）の構造を示す。図８に示すように、クローズドキャプション信号はテレビジョン信号の２１ラインに重畳される。
【０００４】
図９に、テレビジョン信号の２１ラインの詳細を示す。図９に示すように、２１ラインに重畳されたクローズドキャプション信号は、データの同期をそろえるためクロックランイン（７サイクル）や、データの始まりを意味するスタートビットや、字幕の文字データに対応するデータ領域から構成される。スタートビットは３ビットのデータであり、前半の２ビットは０、最終の１ビットは１である。データ領域は、２バイトのデータと、各バイト毎に付加されたエラー検出用のパリティービット（１ｂｉｔ）で構成される。
【０００５】
このようなクローズドキャプション信号をデコードして映像を字幕つきで表示するための従来のクローズドキャプション表示装置について説明する。図１０に、従来のクローズドキャプション表示装置の構成を示す。この表示装置は、入力端子１と、スライサ部２と、デコード部４と、映像処理部５と、出力端子７とを備えている。
【０００６】
クローズドキャプション表示装置は、例えば、テレビジョン信号を受信するためのアンテナと、テレビジョン信号に基づいて映像を表示するためのＴＶ受像機との間に設けられ、入力端子１には、アンテナを通じて受信された映像信号（テレビジョン信号）が入力される。この映像信号は、スライサ部２および映像処理部５へ供給される。
【０００７】
スライサ部２は、入力された映像信号に含まれるクローズドキャプション信号を所定のスライスレベル（このスライスレベルの決定方法については後述する。）でスライスする。デコード部４は、スライサ部２でディジタル化されたデータ（クローズドキャプションデータ）のスタートビットと各パリティビットをチェックし、このチェック結果がＯＫであれば（すなわちスタートビットが存在し、かつ各パリティビットの値が正しければ）、クローズドキャプションデータをデコードして字幕データを得る。なお、チェック結果がＯＫでなければ、デコード部４はデコード処理を行なわない。映像処理部５は、デコード部４によって作成された字幕データを映像信号に重畳し、字幕つきの映像信号を出力端子７へ出力する。出力端子７へ出力された字幕つきの映像信号はＴＶ受像機へ供給され、その結果、ＴＶ受像機の表示画面に字幕つきの映像が表示される。
【０００８】
次に、図１１のフローチャートを参照して、この装置におけるクローズドキャプション表示処理の流れを説明する。まず最初に、ステップＳ５０で入力端子１に映像信号を印加する。入力端子１に印加した映像信号は、スライサ部２および映像処理部５に伝播する。続くステップＳ５１では、スライサ部２において映像信号に含まれるクローズドキャプション信号を所定のスライスレベルでスライスし、その結果として得られたディジタルデータ（クローズドキャプションデータ）をデコード部４へ転送する。ステップＳ５２では、スライサ部２から転送されたクローズドキャプションデータに対してスタートビットとパリティビットのチェックを行なう。このチェックの結果、もしエラーがあれば（Ｓ５３でＹＥＳ）ステップＳ５６に進み、エラーがなければ（Ｓ５３でＮＯ）ステップＳ５４に進む。ステップＳ５４ではクローズドキャプションデータをデコードして字幕データを生成し、ステップＳ５５ではこの字幕データを映像信号に重畳する。ステップＳ５６では映像処理部５から出力された映像信号が出力端子７に出力され、処理が終了する。
【０００９】
次に、図１２を参照して、スライサ部２におけるスライスレベルの決定方法について説明する。スライサ部２は、まずクローズドキャプション信号からクロックランイン信号の部分を抽出する。そして、このクロックランイン信号の信号振幅レベルの最大値（ＭＡＸ値）と最小値（ＭＩＮ値）を検出し、その中間レベル（（ＭＡＸ値＋ＭＩＮ値）／２）を算出する。この算出結果がスライスレベルとして採用される。スライサ部２は、こうして決定されたスライスレベルに基づいてクローズドキャプション信号のスライスを行なう。
【００１０】
なお、従来技術として、クローズドキャプション信号が重畳されたテレビジョン信号を表示する際に、テレビジョン信号に含まれている音声信号のレベルをモニタし、このレベルが閾値未満であるときにクローズドキャプション表示を有効にするものがある（例えば特許文献１参照。）。この技術によれば、例えばＴＶ番組においてキャラクタが発する音声が一時的に小さくなったときに、そのキャラクタのセリフに対応する字幕がディスプレイに補助的に表示されるため、キャラクタが発する音声が小さすぎて視聴者がセリフを聞きとれない場合にも、視聴者は字幕を見てその内容を確認することができる。
【００１１】
【特許文献１】
特開２００２−３６９１５７号公報
【００１２】
【発明が解決しようとする課題】
ところで、図１３（ａ）に示すような通常時の入力信号レベルに対して、弱電界時の入力信号レベルは図１３（ｂ）に示すように小さい。従来のクローズドキャプション表示装置では、スライスレベルがクロックランイン信号レベルの最大レベルと最小レベルの中間電位に決定されるため、弱電界時にはスライスレベルが通常よりも低いレベルに設定されることになる。その結果、クローズドキャプション信号に重畳した外来雑音（ノイズ信号）の影響を受けやすくなり、電界強度が通常である時には問題とならなかったレベルのノイズ信号が、弱電界時には図１３（ｂ）に示すように誤って“１”と判定されてしまうことになる。偶然にもこのノイズ信号がスタートビットの最終ビットの位置に重畳されていた場合にはデコード部４は誤ってクローズドキャプション信号“あり”と判定してしまうため、本来クローズドキャプションデータが重畳されていないテレビジョン信号を処理する場合であっても字幕に関する何らかの表示（誤った表示）を行なってしまうことになる。これにより字幕に関する表示のちらつきが観察されてしまう。またノイズ信号がデータ領域に重畳された場合には、文字の欠落や文字化け等が発生してしまうことになる。これらは、クローズドキャプション機能のプレアビリティー上致命的な問題であった。
【００１３】
なお、前述の従来技術（音声信号のレベルが小さい時にクローズドキャプション表示を有効にする技術）を適用したクローズドキャプション表示装置においても弱電界時に上記問題が発生し、その結果、画面上に好ましくない字幕が表示されてしまう。
【００１４】
それゆえに本発明は、弱電界信号が入力された場合にも、字幕のちらつきや文字化けが観察されないようなクローズドキャプション表示装置を提供することを目的とする。
【００１５】
【課題を解決するための手段】
上記の目的を達成するために、本発明は以下の構成を採用した。ただし、括弧内の参照符号は本発明の理解を助けるために示したものであって、本発明の範囲を何ら限定するものではない。
【００１６】
本発明のクローズドキャプション表示装置は、スライサ部（２）と、デコード部（４）と、映像処理部（５）と、弱電界検出部（３、８）と、制御部（６）とを備える。スライサ部は、テレビジョン信号に重畳されたクローズドキャプション信号をスライスしてディジタルデータに変換する。デコード部は、このディジタルデータをデコードして字幕データを生成する。映像処理部は、テレビジョン信号にこの字幕データを重畳して出力する。弱電界検出部は、電界強度が所定強度よりも弱いかどうかを判定する。制御部は、弱電界検出部の判定結果に基づいて、弱電界時にデコード部のデコード処理および映像処理部の重畳処理の少なくとも一方の処理を無効にする。
【００１７】
なお、弱電界検出部（３）は、入力されたテレビジョン信号の信号レベルを所定の閾値と比較することにより、電界強度が所定強度よりも弱いかどうかを判定してもよい。また、スライサ部がクローズドキャプション信号の信号レベルに応じたスライスレベル（例えば（ＭＡＸ値＋ＭＩＮ値）／２）でクローズドキャプション信号をスライスする場合、弱電界検出部（８）は、スライサ部における現在のスライスレベルを所定の閾値と比較することにより、電界強度が所定強度よりも弱いかどうかを判定してもよい。また、クローズドキャプション表示装置が、制御部によってクローズドキャプションの表示機能が無効にされたときにその旨を表示するための文字データを格納した通知データ記憶部（１０）をさらに備えてもよい。
【００１８】
本発明のクローズドキャプション表示方法は、テレビジョン信号に基づいて映像を表示する際に、電界強度が所定強度よりも弱いかどうかを判定し（Ｓ６１、Ｓ７１）、所定強度よりも弱いと判定された場合（Ｓ６２でＹＥＳ）にクローズドキャプションの表示に係る処理を無効にする（Ｓ６３、Ｓ６４）。
【００１９】
本発明のクローズドキャプション表示プログラムは、スライサ部（２）とデコード部（４）と映像処理部（５）とを備えたクローズドキャプション表示装置において、この表示装置に設けられたコンピュータに、電界強度が所定強度よりも弱いかどうかを判定する手順（Ｓ６１、Ｓ７１）と、この判定結果に基づいて弱電界時にデコード部のデコード処理および映像処理部の重畳処理の少なくとも一方の処理を無効にする手順（Ｓ６３、Ｓ６４）とを実行させる。なお、このクローズドキャプション表示プログラムは、クローズドキャプション表示装置に内蔵された記憶装置に予め格納されていてもよいし、コンピュータ読み取り可能な記録媒体や通信回線を通じてクローズドキャプション表示装置に供給されてもよい。
【００２０】
【発明の実施の形態】
以下、本発明の実施形態について図面を参照しながら説明する。
（第１の実施形態）
図１に、本発明の第１の実施形態に係るクローズドキャプション表示装置の構成を示す。クローズドキャプション表示装置は、入力端子１と、スライサ部２と、弱電界検出部３と、デコード部４と、映像処理部５と、制御部６と、出力端子７とを備えている。なお、図１において、図１０に示した従来のクローズドキャプション表示装置と同様の構成には同一の参照符号を付す。
【００２１】
クローズドキャプション表示装置は、例えば、テレビジョン信号を受信するためのアンテナと、テレビジョン信号に基づいて映像を表示するためのＴＶ受像機との間に設けられ、入力端子１には、アンテナを通じて受信された映像信号（テレビジョン信号）が入力される。この映像信号は、スライサ部２、弱電界検出部３および映像処理部５へ供給される。
【００２２】
スライサ部２は、入力された映像信号に含まれるクローズドキャプション信号を所定のスライスレベルでスライスする。デコード部４は、スライサ部２でディジタル化されたデータ（クローズドキャプションデータ）のスタートビットと各パリティビットをチェックし、このチェック結果がＯＫであれば（すなわちスタートビットが存在し、かつ各パリティビットの値が正しければ）、クローズドキャプションデータをデコードして字幕データを得る。なお、チェック結果がＯＫでなければ、デコード部４はデコード処理を行なわない。映像処理部５は、デコード部４によって作成された字幕データを映像信号に重畳し、字幕つきの映像信号を出力端子７へ出力する。弱電界検出部３は、入力された映像信号の信号レベルを検出し、この信号レベルを所定の閾値と比較することにより、映像信号受信時の電界強度が所定強度よりも弱いかどうかを判定する。制御部６は、この判定結果に基づいてデコード部４および映像処理部５の処理動作を禁止または許可する。出力端子７へ出力された映像信号はＴＶ受像機へ供給され、その結果、ＴＶ受像機の表示画面に映像が表示される。
【００２３】
次に、図２のフローチャートを参照して、この装置におけるクローズドキャプション表示処理の流れを説明する。なお、図２において、図１１に示したフローチャートと同様のステップには同一の参照符号を付す。まず最初に、ステップＳ５０で入力端子１に映像信号を印加する。入力端子１に印加した映像信号は、スライサ部２、弱電界検出部３および映像処理部５に伝播する。続くステップＳ５１では、スライサ部２において映像信号に含まれるクローズドキャプション信号を所定のスライスレベルでスライスし、その結果として得られたディジタルデータ（クローズドキャプションデータ）をデコード部４へ転送する。ステップＳ６１では、弱電界検出部３において、映像信号の信号レベルを検出して映像信号が弱電界であるかどうかの判定を行なう。つまり、映像信号受信時の電界強度が所定強度よりも弱いかどうかを判定する。ステップＳ６１において電界強度が弱電界であると判定された場合にはステップＳ６３に進み、弱電界ではないと判定された場合にはステップＳ５４に進む。
【００２４】
ステップＳ６３では、制御部６にて、デコード部４におけるクローズドキャプションデータのデコード処理を禁止し、続くステップＳ６４では、制御部６にて、映像処理部５におけるクローズドキャプションデータの重畳処理を禁止し、ステップＳ５６に進む。
【００２５】
一方、ステップＳ５４では、デコード部４にてクローズドキャプションデータをデコードして字幕データを生成し、続くステップＳ５５では、映像処理部５にてこの字幕データを映像信号に重畳し、ステップＳ５６に進む。なお、デコード部４では実際には図１３のステップＳ５２に示したようなデータチェックが行われるが、ここでは説明を省略する。
【００２６】
ステップＳ５６では、映像処理部５から出力された映像信号が出力端子７に出力され、処理が終了する。
【００２７】
なお、本実施形態では、弱電界時に制御部６はデコード部４のデコード処理および映像処理部５の重畳処理の両方を無効にするとしたが、本発明はこれに限らず、例えばデコード部４のデコード処理および映像処理部５の重畳処理のいずれか一方を無効にするようにしても構わない。
【００２８】
なお、弱電界検出部３および制御部６の機能は、典型的には、プロセッサとこのプロセッサに所定の処理（図２に示したステップＳ６１〜Ｓ６４の処理）を実行させるためのコンピュータプログラムとにより実現可能である。このコンピュータプログラムは、クローズドキャプション表示装置の内部の記憶手段に予め記憶されていてもよいし、コンピュータ読み取り可能な記録媒体もしくは通信回線を通じてクローズドキャプション表示装置の外部より供給されてもよい。
【００２９】
以上のように、本実施形態では、入力されたテレビジョン信号の信号レベルを所定の閾値と比較することによって電界強度が所定強度よりも弱いかどうかを判定し、所定強度よりも弱いと判定された場合にクローズドキャプションの表示に係る処理を無効にする。したがって、弱電界信号が入力された場合にも、表示画面上に誤った字幕が表示されることがなくなる。
【００３０】
（第２の実施形態）
図３に、本発明の第２の実施形態に係るクローズドキャプション表示装置の構成を示す。クローズドキャプション表示装置は、入力端子１と、スライサ部２と、弱電界検出部８と、デコード部４と、映像処理部５と、制御部６と、出力端子７とを備えている。なお、図３において、図１に示した第１の実施形態と同様の構成には同一の参照符号を付し、説明を省略する。
【００３１】
第２の実施形態と第１の実施形態とは、弱電界であるかどうかを判定する方法が異なる。第２の実施形態の弱電界検出部８は、スライサ部２のスライスレベルが図１２に示したように電界強度に応じて変化することを利用して、スライサ部２における現在のスライスレベルを所定の閾値と比較することにより弱電界であるかどうかを判定する。
【００３２】
図４は、第２の実施形態に係るクローズドキャプション表示処理の流れを示すフローチャートである。図４に示すフローチャートが図２に示すフローチャートと異なる点は、ステップＳ７１において、スライスレベルに基づいて弱電界か否かを判定する点のみである。
【００３３】
なお、本実施形態では、弱電界時に制御部６はデコード部４のデコード処理および映像処理部５の重畳処理の両方を無効にするとしたが、本発明はこれに限らず、例えばデコード部４のデコード処理および映像処理部５の重畳処理のいずれか一方を無効にするようにしても構わない。
【００３４】
なお、弱電界検出部８および制御部６の機能は、典型的には、プロセッサとこのプロセッサに所定の処理（図４に示したステップＳ７１、Ｓ６２〜Ｓ６４の処理）を実行させるためのコンピュータプログラムとにより実現可能である。このコンピュータプログラムは、クローズドキャプション表示装置の内部の記憶手段に予め記憶されていてもよいし、コンピュータ読み取り可能な記録媒体もしくは通信回線を通じてクローズドキャプション表示装置の外部より供給されてもよい。
【００３５】
以上のように、本実施形態では、スライス部のスライスレベルを所定の閾値と比較することによって電界強度が所定強度よりも弱いかどうかを判定し、所定強度よりも弱いと判定された場合にクローズドキャプションの表示に係る処理を無効にする。したがって、弱電界信号が入力された場合にも、表示画面上に誤った字幕が表示されることがなくなる。
【００３６】
（第３の実施形態）
前述の第１の実施形態および第２の実施形態によれば、弱電界時にクローズドキャプションの表示に係る処理が無効になるが、この場合、クローズドキャプション信号が重畳されたテレビジョン信号を受信しているにも関わらず字幕表示がなされないため、視聴者にとっては装置が故障しているように見えてしまう。そこで、第３の実施形態として、クローズドキャプションの表示に係る処理が無効になっているときに、その旨を視聴者に通知可能なクローズドキャプション表示装置について説明する。
【００３７】
図５に、本発明の第３の実施形態に係るクローズドキャプション表示装置の構成を示す。クローズドキャプション表示装置は、入力端子１と、スライサ部２と、弱電界検出部３と、デコード部４と、映像処理部５と、出力端子７と、制御部９と、通知データ記憶部１０とを備えている。なお、図５において、図１に示した第１の実施形態と同様の構成には同一の参照符号を付し、説明を省略する。
【００３８】
通知データ記憶部１０には、弱電界のためにクローズドキャプションの表示に係る処理が無効になっている旨をＴＶ受像機の画面上に表示するための文字データ（以下、通知データと称す）が格納されている。制御部９は、弱電界検出部３の判定結果に基づいて、デコード部４および通知データ記憶部１０を制御する。具体的には、弱電界検出部３において電界強度が所定強度よりも弱いと判定されたときに、デコード部４のデコード処理を禁止すると同時に、通知データ記憶部１０に格納されている通知データを映像処理部５に出力する。映像処理部５は、通知データ記憶部１０から出力された通知データを映像信号に重畳し、その結果として得られた映像信号を出力端子７へ出力する。
【００３９】
図６は、第３の実施形態に係るクローズドキャプション表示処理の流れを示すフローチャートである。図６に示すフローチャートが図２に示すフローチャートと異なる点は、ステップＳ８１において、通知データを映像信号に重畳する点のみである。
【００４０】
以上の処理の結果、弱電界時においてＴＶ受像機の表示画面に例えば図７に示すような映像が表示され、この映像により、視聴者は字幕表示がなされない理由を知ることができる。
【００４１】
なお、本実施形態では、弱電界時に制御部９はデコード部４のデコード処理を無効にするとしたが、本発明はこれに限らず、デコード部４のデコード処理および映像処理部５の重畳処理（クローズドキャプションデータの重畳処理）のいずれか一方を無効にするようにしても構わない。
【００４２】
なお、弱電界検出部３および制御部９の機能は、典型的には、プロセッサとこのプロセッサに所定の処理（図６に示したステップＳ６１〜Ｓ６３の処理および通知データ記憶部１０に格納されている通知データを映像処理部５に出力する処理）を実行させるためのコンピュータプログラムとにより実現可能である。このコンピュータプログラムは、クローズドキャプション表示装置の内部の記憶手段に予め記憶されていてもよいし、コンピュータ読み取り可能な記録媒体もしくは通信回線を通じてクローズドキャプション表示装置の外部より供給されてもよい。
【００４３】
なお、弱電界時において、不適切な字幕表示でも構わないので字幕を表示させたいと考える視聴者のために、弱電界検出部３の判定結果に関わらず、制御部９の動作（クローズドキャプションの表示機能を無効にするか有効にするか）を視聴者が手動で切り替え可能とするのが好ましい。
【００４４】
以上のように、本実施形態によれば、クローズドキャプションの表示に係る処理が無効になっているときに、その旨を視聴者に通知することができる。
【００４５】
【発明の効果】
以上のように、本発明によれば、弱電界信号が入力された場合にも、画面上に表示される字幕が乱れないようなクローズドキャプション表示装置、方法およびプログラムを提供することができる。
【図面の簡単な説明】
【図１】本発明の第１の実施形態に係るクローズドキャプション表示装置の構成を示すブロック図
【図２】本発明の第１の実施形態に係るクローズドキャプション表示処理の流れを示すフローチャート
【図３】本発明の第２の実施形態に係るクローズドキャプション表示装置の構成を示すブロック図
【図４】本発明の第２の実施形態に係るクローズドキャプション表示処理の流れを示すフローチャート
【図５】本発明の第３の実施形態に係るクローズドキャプション表示装置の構成を示すブロック図
【図６】本発明の第３の実施形態に係るクローズドキャプション表示処理の流れを示すフローチャート
【図７】本発明の第３の実施形態にクローズドキャプション表示装置を用いたときの画面表示例
【図８】映像信号に重畳されるクローズドキャプション信号を示す図
【図９】クローズドキャプション信号のデータ構造を示す図
【図１０】従来のクローズドキャプション表示装置の構成を示すブロック図
【図１１】従来のクローズドキャプション表示処理の流れを示すフローチャート
【図１２】従来のクローズドキャプション表示装置におけるスライスレベルの決定方法を示す図
【図１３】従来のクローズドキャプション表示装置において弱電界時に生じる問題を説明するための図
【符号の説明】
１  入力端子
２  スライサ部
３  弱電界検出部
４  デコード部
５  映像処理部
６  制御部
７  出力端子
８  弱電界検出部
９  制御部
１０  通知データ記憶部
【図１】
2004328664.tif 000003
【図２】
2004328664.tif 000004
【図３】
2004328664.tif 000005
【図４】
2004328664.tif 000006
【図５】
2004328664.tif 000007
【図６】
2004328664.tif 000008
【図７】
2004328664.tif 000009
【図８】
2004328664.tif 000010
【図９】
2004328664.tif 000011
【図１０】
2004328664.tif 000012
【図１１】
2004328664.tif 000013
【図１２】
2004328664.tif 000014
【図１３】
2004328664.tif 000015